(57)【要約】  光学シート（１）は、複数のピンホールを有するピンホールマスクと、複数のマイクロレンズを有するマイクロレンズアレイとを備える。複数のピンホールおよび複数のマイクロレンズは、全種類のサブ画素から発せられた光が特定ピンホールに入射するとともに特定ピンホールで回折した結果、特定ピンホールから出射された各回折光が特定マイクロレンズに入射する配置および大きさとなっている。
2016132643.tif 000002
【特許請求の範囲】
【請求項１】
各々が複数のサブ画素を含む複数の表示画素を有する表示パネルと、  複数の前記表示画素と対向する位置に設けられた光学シートと  を備え、  前記光学シートは、  前記表示画素から発せられる光に対して回折効果のある複数のピンホールを有するピンホールマスクと、  複数のマイクロレンズを有するマイクロレンズアレイと  を有し、  複数の前記ピンホールおよび複数の前記マイクロレンズは、各前記サブ画素から発せられた光の光路上に散乱または拡散の作用を有する部材が全く設けられていないと仮定した場合に、全種類の前記サブ画素から発せられた光が共通の１つの前記ピンホールである特定ピンホールに入射するとともに前記特定ピンホールで回折した結果、前記特定ピンホールから出射された各回折光が１つの前記マイクロレンズである特定マイクロレンズに入射する配置および大きさとなっている  表示装置。
【請求項２】
複数の前記ピンホールおよび複数の前記マイクロレンズは、以下の式（１）を満たす配置および大きさとなっている  請求項１に記載の表示装置。  θ１＞θ２…（１）  θ１：前記特定ピンホールの中心および点Ｐ１を通る第１線分と、前記特定ピンホールの中心および前記特定マイクロレンズの中心を通る第２線分とのなす角  θ２：前記特定ピンホールの中心および点Ｐ２を通る第３線分と、前記第２線分とのなす角  Ｐ１：前記特定ピンホールに最も近い全種類の前記サブ画素のうち、前記特定ピンホールの中心から最も遠い第１サブ画素の、前記特定ピンホールから最も遠い点  Ｐ２：前記特定マイクロレンズの端部
【請求項３】
前記特定ピンホールの直径φは、以下の式（２）を満たす  請求項２に記載の表示装置。  φ＜λ／θ３…（２）  λ：前記サブ画素から発せられる光の中心波長  θ３：前記特定ピンホールの中心および点Ｐ３を通る第４線分と、前記特定ピンホールの中心および点Ｐ４を通る第５線分とのなす角  Ｐ３：前記第１サブ画素の、前記特定ピンホールに最も近い点  Ｐ４：前記第１サブ画素に隣接する、前記第１サブ画素と同一種類の複数のサブ画素のうち、前記特定ピンホールの中心に最も近い第２サブ画素を平面視したときに、前記第２サブ画素のうち、前記特定ピンホールの中心と対向する箇所および前記点Ｐ３を通る第６線分と交差する箇所であって、かつ、前記特定ピンホールに最も近い点
【請求項４】
複数の前記マイクロレンズは、第１方向に並んで配置されるとともに、前記第１方向と交差する第２方向に並んで配置され、  複数の前記ピンホールは、前記第１方向±１．０°の範囲内の方向に並んで配置されると共に、前記第２方向±１．０°の範囲内の方向に並んで配置されている  請求項３に記載の表示装置。
【請求項５】
各前記マイクロレンズを通過した光を互いに重ね合わせるレンズシートをさらに備え、  複数の前記ピンホールの配列ピッチは、複数の前記マイクロレンズの配列ピッチと等しくなっている  請求項４に記載の表示装置。
【請求項６】
複数の前記ピンホールの配列ピッチは、複数の前記マイクロレンズの配列ピッチの１／ｎ（ｎは２以上の整数）または１／（ｎ√２）となっている  請求項４に記載の表示装置。
【請求項７】
前記ピンホールマスク、前記マイクロレンズアレイおよび前記レンズシートは、各前記ピンホールで回折した光を所定の位置で０．１ｍｍ以上３ｍｍ以下の直径となるように互いに重ね合わせるように構成されている  請求項５に記載の表示装置。
【請求項８】
前記ピンホールマスク、前記マイクロレンズアレイおよび前記レンズシートは、各前記ピンホールで回折した光を所定の位置で０．１ｍｍ以上３ｍｍ以下の直径となるように互いに重ね合わせるように構成されている  請求項６に記載の表示装置。
【請求項９】
ユーザの瞳の瞳孔位置で各前記ピンホール回折した光が互いに重なり合うように、複数の前記ピンホールの配列ピッチが、複数の前記マイクロレンズの配列ピッチよりも大きくなっている  請求項４に記載の表示装置。
【請求項１０】
複数の前記ピンホールの配列ピッチは、複数の前記マイクロレンズの配列ピッチの１／ｎ（ｎは２以上の整数）または１／（ｎ√２）となっている  請求項９に記載の表示装置。
【請求項１１】
前記ピンホールマスクおよび前記マイクロレンズアレイは、各前記ピンホールで回折した光を所定の位置で０．１ｍｍ以上３ｍｍ以下の直径となるように互いに重ね合わせるように構成されている  請求項９に記載の表示装置。
【請求項１２】
前記表示パネルは、前記光学シート側の最表面に光透過性の保護ガラスまたは保護フィルムを有し、  前記光学シートは、前記光学シート側の最表面に貼り合わされている  請求項３に記載の表示装置。
【請求項１３】
前記光学シートは、静電気を帯びた帯電フィルムを有し、前記帯電フィルムの静電気を利用して、前記光学シート側の最表面に貼り合わされている  請求項１２に記載の表示装置。
【請求項１４】
前記光学シートと前記保護ガラスまたは前記保護フィルムとを互いに貼り合わせる接着層または粘着層をさらに備えた  請求項１２に記載の表示装置。
【請求項１５】
表示装置を備え、  前記表示装置は、  各々が複数のサブ画素を含む複数の表示画素を有する表示パネルと、  複数の前記表示画素と対向する位置に設けられた光学シートと  を有し、  前記光学シートは、  前記表示画素から発せられる光に対して回折効果のある複数のピンホールを有するピンホールマスクと、  複数のマイクロレンズを有するマイクロレンズアレイと  を有し、  複数の前記ピンホールおよび複数の前記マイクロレンズは、各前記サブ画素から発せられた光の光路上に散乱または拡散の作用を有する部材が全く設けられていないと仮定した場合に、全種類の前記サブ画素から発せられた光が共通の１つの前記ピンホールである特定ピンホールに入射するとともに前記特定ピンホールで回折した結果、前記特定ピンホールから出射された各回折光が１つの前記マイクロレンズである特定マイクロレンズに入射する配置および大きさとなっている  電子機器。
【請求項１６】
各々が複数のサブ画素を含む複数の表示画素と、複数の前記表示画素と対向する位置に設けられた表示面とを備えた表示パネルの前記表示面に貼り付けるのに適した光学シートであって、  前記表示画素から発せられる光に対して回折効果のある複数のピンホールを有するピンホールマスクと、  複数のマイクロレンズを有するマイクロレンズアレイと  を備え、  複数の前記ピンホールおよび複数の前記マイクロレンズは、前記光学シートが前記表示面に貼り合わされた場合に、各前記サブ画素から発せられた光の光路上に散乱または拡散の作用を有する部材が全く設けられていないと仮定したときに、全種類の前記サブ画素から発せられた光が共通の１つの前記ピンホールである特定ピンホールに入射するとともに前記特定ピンホールで回折した結果、前記特定ピンホールから出射された各回折光が１つの前記マイクロレンズである特定マイクロレンズに入射する配置および大きさとなっている  光学シート。
【発明の詳細な説明】
【技術分野】
【０００１】  本技術は、光学シートおよびそれを備えた表示装置に関する。また、本技術は、上記表示装置を備えた電子機器に関する。
【背景技術】
【０００２】  近年、高齢化社会の進展に伴って、老眼の高齢者が増えてきている。そのため、老眼の高齢者にとって使いやすい、つまり、焦点を合わせやすい表示装置が望まれている。例えば、特許文献１に記載の発明では、各開口を透過したＲＧＢの光が、マイクロレンズによって、瞳孔位置で瞳の径よりも小さくなるように投影されるとともに重ね合わされる。瞳孔位置で重ね合わされた各光は、眼のレンズによって、眼の網膜で互いに重なり合わずに結像する。その結果、従来よりも、像のぼやけを低減することができる。
【先行技術文献】
【特許文献】
【０００３】
【特許文献１】特開２０１１−２２１０４６号公報
【発明の概要】
【０００４】  しかし、特許文献１に記載の発明では、各開口を透過したＲＧＢの光を共通のマイクロレンズに入射させるために、開口と、ＲＧＢの光を発する情報画素との間隙を大きくしておくことが必要となる。そのため、表示ユニットが厚くなるという問題があった。
【０００５】  したがって、厚さの薄い光学シートならびにそれを備えた表示装置および電子機器を提供することが望ましい。
【０００６】  本技術の一実施の形態の表示装置は、各々が複数のサブ画素を含む複数の表示画素を有する表示パネルと、複数の表示画素と対向する位置に設けられた光学シートとを備えている。光学シートは、表示画素から発せられる光に対して回折効果のある複数のピンホールを有するピンホールマスクと、複数のマイクロレンズを有するマイクロレンズアレイとを有している。ここで、各サブ画素から発せられた光の光路上に散乱または拡散の作用を有する部材が全く設けられていないと仮定する。このとき、複数のピンホールおよび複数のマイクロレンズは、全種類のサブ画素から発せられた光が共通の１つのピンホールである特定ピンホールに入射するとともに特定ピンホールで回折した結果、特定ピンホールから出射された各回折光が１つのマイクロレンズである特定マイクロレンズに入射する配置および大きさとなっている。
【０００７】  本技術の一実施の形態の電子機器は、上記の表示装置を備えている。
【０００８】  本技術の一実施の形態の光学シートは、各々が複数のサブ画素を含む複数の表示画素と、複数の表示画素と対向する位置に設けられた表示面とを備えた表示パネルの表示面に貼り付けるのに適した光学シートである。この光学シートは、表示画素から発せられる光に対して回折効果のある複数のピンホールを有するピンホールマスクと、複数のマイクロレンズを有するマイクロレンズアレイとを備えている。ここで、光学シートが表示面に貼り合わされた場合に、各サブ画素から発せられた光の光路上に散乱または拡散の作用を有する部材が全く設けられていないと仮定する。このとき、複数のピンホールおよび複数のマイクロレンズは、全種類のサブ画素から発せられた光が共通の１つのピンホールである特定ピンホールに入射するとともに特定ピンホールで回折した結果、特定ピンホールから出射された各回折光が１つのマイクロレンズである特定マイクロレンズに入射する配置および大きさとなっている。
【０００９】  本技術の一実施の形態の表示装置、電子機器および光学シートでは、全種類のサブ画素から発せられた光が特定ピンホールに入射するとともに特定ピンホールで回折した結果、特定ピンホールから出射された各回折光が特定マイクロレンズに入射する。このように、本技術では、ピンホールによる回折効果が利用されるので、全種類のサブ画素から発せられた光の一部が、回折により、入射角よりも小さな出射角で特定ピンホールから出射され、特定マイクロレンズに入射する。そのため、ピンホールマスクと表示画素との間隙を狭くした場合であっても、色再現性の低下が抑制される。
【００１０】  本技術の一実施の形態の光学シートによれば、ピンホールによる回折効果を利用して、色再現性の低下を抑制するようにしたので、厚さの薄い光学シートを実現することができる。また、本技術の表示装置、電子機器において、厚さの薄い光学シートを適用した場合には、表示装置や電子機器の厚さを薄くすることができる。なお、本技術の効果は、ここに記載された効果に必ずしも限定されず、本明細書中に記載されたいずれの効果であってもよい。
【図面の簡単な説明】
【００１１】
【図１】本技術の第１の実施の形態の光学シートの断面構成例を表す図である。
【図２Ａ】図１のピンホールマスクの平面構成例を表す図である。
【図２Ｂ】図１のマイクロレンズアレイの平面構成例を表す図である。
【図２Ｃ】図２Ａのピンホールマスクおよび図２Ｂのマイクロレンズアレイを互いに重ね合わせたときの平面構成例を表す図である。
【図３】図１の光学シートが表示パネルに貼り合わされたときの、図１の光学シートと表示パネルの断面構成例を表す図である。
【図４Ａ】図１の表示画素の平面構成例を表す図である。
【図４Ｂ】図１の表示画素の平面構成例を表す図である。
【図５】図４Ａのサブ画素、図４Ａのピンホールおよび図４Ａのマイクロレンズの配置および大きさの一例を表す図である。
【図６】図４Ａのサブ画素、図４Ａのピンホールおよび図４Ａのマイクロレンズの配置および大きさの一例を表す図である。
【図７】図１の光学シートの断面構成の一変形例を表す図である。
【図８Ａ】図１のピンホールマスクの平面構成例を表す図である。
【図８Ｂ】図１のマイクロレンズアレイの平面構成例を表す図である。
【図８Ｃ】図７Ａのピンホールマスクおよび図７Ｂのマイクロレンズアレイを互いに重ね合わせたときの平面構成例を表す図である。
【図９Ａ】図１のピンホールマスクの平面構成例を表す図である。
【図９Ｂ】図１のマイクロレンズアレイの平面構成例を表す図である。
【図９Ｃ】図９Ａのピンホールマスクおよび図９Ｂのマイクロレンズアレイを互いに重ね合わせたときの平面構成例を表す図である。
【図１０Ａ】図１のピンホールマスクの平面構成例を表す図である。
【図１０Ｂ】図１のマイクロレンズアレイの平面構成例を表す図である。
【図１０Ｃ】図１０Ａのピンホールマスクおよび図１０Ｂのマイクロレンズアレイを互いに重ね合わせたときの平面構成例を表す図である。
【図１１】図１の表示画素の平面構成例を表す図である。
【図１２】図１の表示画素の平面構成例を表す図である。
【図１３】図１の表示画素の平面構成例を表す図である。
【図１４】本技術の第２の実施の形態の光学シートの断面構成例を表す図である。
【図１５】図１４のピンホールマスクおよび図１４のマイクロレンズアレイを互いに重ね合わせたときの平面構成例を表す図である。
【図１６】図１４の光学シートが表示パネルに貼り合わされたときの、図１４の光学シートと表示パネルの断面構成例を表す図である。
【図１７】図１６のサブ画素、図１６のピンホールおよび図１６のマイクロレンズの配置および大きさの一例を表す図である。
【図１８】図１６のサブ画素、図１６のピンホールおよび図１６のマイクロレンズの配置および大きさの一例を表す図である。
【図１９】図１６の表示画素の平面構成例を表す図である。
【図２０】図１４の光学シートの断面構成の一変形例を表す図である。
【図２１】本技術の第３の実施の形態の表示装置の断面構成例を表す図である。
【図２２】図２１の表示装置の断面構成の一変形例を表す図である。
【図２３】本技術の第４の実施の形態の表示装置の断面構成例を表す図である。
【図２４】図２３の表示装置の断面構成の一変形例を表す図である。
【図２５】図１の光学シートが電子機器の表示面に貼り合わされた様子の一例を斜視的に表す図である。
【図２６】図１の光学シートが電子機器の表示面に貼り合わされた様子の一例を斜視的に表す図である。
【図２７】図１の光学シートの断面構成の一変形例を表す図である。
【図２８】図１４の光学シートの断面構成の一変形例を表す図である。
【発明を実施するための形態】
【００１２】  以下、本技術を実施するための形態について、図面を参照して詳細に説明する。以下の説明は本技術の一具体例であって、本技術は以下の態様に限定されるものではない。また、本技術は、各図に示す各構成要素の配置や寸法、寸法比などについても、それらに限定されるものではない。なお、説明は、以下の順序で行う。    １．第１の実施の形態（光学シート）    ２．第１の実施の形態の変形例（光学シート）    ３．第２の実施の形態（光学シート）    ４．第１の実施の形態の変形例（光学シート）    ５．第３の実施の形態（表示装置）    ６．第４の実施の形態（表示装置）    ７．第５の実施の形態（電子機器）    ８．第６の実施の形態（電子機器）    ９．共通の変形例（光学シート、表示装置、電子機器） 
【００１３】＜１．第１の実施の形態＞[構成]  本技術の第１の実施の形態の光学シート１の構成について説明する。光学シート１は、本技術の「光学シート」の一具体例に対応する。図１は、本技術の第１の実施の形態の光学シート１の概略構成を表したものである。光学シート１は、例えば、後述の電子機器２００の表示面２００Ａ（図２３参照）または電子機器３００の表示面３００Ａ（図２４参照）に貼り付けるのに適したものである。光学シート１は、例えば、表示面２００Ａまたは表示面３００Ａの平面形状と相似の平面形状となっている。表示面２００Ａまたは表示面３００Ａが矩形状となっている場合には、光学シート１の平面形状も矩形状となっている。このとき、光学シート１は、例えば、光学シート１の一辺が表示面２００Ａまたは表示面３００Ａの一辺と平行または略平行となるように、表示面２００Ａまたは表示面３００Ａ上に貼り付けられる。
【００１４】  光学シート１は、例えば、図１に示したように、ピンホールマスク１０、マイクロレンズアレイ２０およびレンズシート３０を備えている。ピンホールマスク１０は、本技術の「ピンホールマスク」の一具体例に対応する。マイクロレンズアレイ２０は、本技術の「マイクロレンズアレイ」の一具体例に対応する。レンズシートは、本技術の「レンズシート」の一具体例に対応する。ピンホールマスク１０、マイクロレンズアレイ２０およびレンズシート３０は、貼り合わせ面（例えば、表示面２００Ａまたは表示面３００Ａ）側から、ピンホールマスク１０、マイクロレンズアレイ２０、レンズシート３０の順に、配置されている。つまり、ピンホールマスク１０の表面が光学シート１の光入射面となっており、レンズシート３０の表面が光学シート１の光出射面となっている。
【００１５】  なお、ピンホールマスク１０の表面（光入射面）に、接着層、粘着層、または帯電層が設けられていてもよい。また、レンズシート３０の表面（光出射面）に、レンズシート３０を保護する保護膜が設けられていてもよい。光学シート１は、さらに、例えば、ピンホールマスク１０とマイクロレンズアレイ２０との間にスペーサ４０を備えており、マイクロレンズアレイ２０とレンズシート３０との間にスペーサ５０を備えている。以下では、スペーサ４０，５０、ピンホールマスク１０、マイクロレンズアレイ２０、レンズシート３０の順に説明する。
【００１６】（スペーサ４０，５０）  スペーサ４０は、マイクロレンズアレイ２０とピンホールマスク１０との間隙を確保するためのものであり、例えば、光透過性の樹脂層で構成されている。スペーサ４０において、光入射面（ピンホールマスク１０側の面）および光出射面（マイクロレンズアレイ２０側の面）は、ともに、平坦面となっている。スペーサ５０は、レンズシート３０とマイクロレンズアレイ２０との間隙を確保するためのものであり、例えば、光透過性の樹脂層で構成されている。スペーサ５０において、光入射面（マイクロレンズアレイ２０側の面）は、マイクロレンズアレイ２０の表面形状に倣った表面形状となっている。スペーサ５０において、光出射面（レンズシート３０側の面）は平坦面となっている。本実施の形態において、スペーサ４０は、散乱板や拡散板のような、積極的に光を散乱したり拡散したりする機能を有していない。つまり、光学シート１では、スペーサ４０が散乱板や拡散板として機能しなくても支障のない光学設計がなされている。スペーサ４０，５０は、空気層であってもよい。なお、光学シート１の光学設計については、後に詳述する。
【００１７】（ピンホールマスク１０）  ピンホールマスク１０は、後述の表示画素１１０から発せられる光に対して回折効果のある複数のピンホール１１を有している。ピンホール１１は、本技術の「ピンホール」の一具体例に対応する。ピンホール１１は、表示画素１１０から発せられる光（可視光）に対して回折効果のある直径を有しており、例えば、７．５μｍの直径を有している。ピンホール１１は、光遮光性を有するシート状の部材に設けられている。従って、ピンホールマスク１０は、各ピンホール１１を介して、表示画素１１０から発せられる光を透過するようになっている。ピンホールマスク１０は、例えば、スペーサ４０の光入射面に対して、ブラックカーボンなどを含む遮光材料を塗布したのち、塗布した遮光材料に複数の開口を形成することにより形成される。ピンホールマスク１０は、例えば、スペーサ４０の光入射面に対して、クロムの薄膜を形成したのち、クロムの薄膜に対して、エッチングで開口を形成することにより形成されてもよい。
【００１８】  図２Ａは、ピンホールマスク１０の平面構成例を表したものである。複数のピンホール１１は、格子状に配置されている。複数のピンホール１１は、線分Ｌａと平行な方向に並んで配置されるとともに、線分Ｌａと直交または略直交する線分Ｌｂと平行な方向に並んで配置されている。複数のピンホール１１は、線分Ｌａと平行な方向に、配列ピッチΔＬａで並んで配置されている。配列ピッチΔＬａは、例えば、１００μｍとなっている。複数のピンホール１１は、線分Ｌｂと平行な方向に、配列ピッチΔＬｂで並んで配置されている。配列ピッチΔＬｂは、例えば、１００μｍとなっている。配列ピッチΔＬａと、配列ピッチΔＬｂとは、例えば、互いに等しくなっている。なお、配列ピッチΔＬａと、配列ピッチΔＬｂとが、互いに異なっていてもよい。
【００１９】  複数のピンホール１１は、線分Ｌｃと平行な方向±１．０°の範囲内の方向に並んで配置されると共に、線分Ｌｄと平行な方向±１．０°の範囲内の方向に並んで配置されている。線分Ｌｃは、本技術の「第１方向」の一具体例に対応する。線分Ｌｄは、本技術の「第２方向」の一具体例に対応する。ここで、線分Ｌａと平行な方向は、線分Ｌｃと平行な方向±１．０°の範囲内の方向に対応する。線分Ｌｂと平行な方向は、線分Ｌｄと平行な方向±１．０°の範囲内の方向に対応する。
【００２０】（マイクロレンズアレイ２０）  マイクロレンズアレイ２０は、複数のマイクロレンズ２１を有している。マイクロレンズ２１は、ピンホール１１を通過した光を集光するようになっており、例えば、光出射側に突出する凸形状を有している。図２Ｂは、マイクロレンズアレイ２０の平面構成例を表したものである。複数のマイクロレンズ２１は、格子状に配置されている。複数のマイクロレンズ２１は、線分Ｌｃと平行な方向に並んで配置されるとともに、線分Ｌｃと交差（例えば直交）する線分Ｌｄと平行な方向に並んで配置されている。複数のマイクロレンズ２１は、線分Ｌｃと平行な方向に、配列ピッチΔＬｃで並んで配置されている。配列ピッチΔＬｃは、例えば、１００μｍとなっている。複数のマイクロレンズ２１は、線分Ｌｄと平行な方向に、配列ピッチΔＬｄで並んで配置されている。配列ピッチΔＬｄは、例えば、１００μｍとなっている。配列ピッチΔＬｃと、配列ピッチΔＬｄとは、例えば、互いに等しくなっている。なお、配列ピッチΔＬｃと、配列ピッチΔＬｄとが、互いに異なっていてもよい。
【００２１】  図２Ｃは、ピンホールマスク１０およびマイクロレンズアレイ２０を互いに重ね合わせたときの平面構成例を表したものである。複数のマイクロレンズ２１は、ピンホール１１ごとに１つずつ割り当てられている。複数のピンホール１１の配列ピッチΔＬａは、複数のマイクロレンズ２１の配列ピッチΔＬｃと等しくなっている。複数のピンホール１１の配列ピッチΔＬｂは、複数のマイクロレンズ２１の配列ピッチΔＬｄと等しくなっている。従って、マイクロレンズ２１およびピンホール１１は、互いに対向配置されている。ピンホールマスク１０およびマイクロレンズアレイ２０を平面視した場合に、ピンホール１１の中心が、マイクロレンズ２１の中心と重なり合っていることが好ましい。なお、ピンホールマスク１０およびマイクロレンズアレイ２０を平面視した場合に、各ピンホール１１の中心が、各マイクロレンズ２１の中心から特定の方向に所定の大きさだけシフトしていてもよい。
【００２２】（光学シート１と表示パネル１００との関係）  図３は、光学シート１が表示パネル１００の表示面１００Ａに貼り合わされたときの、光学シート１および表示パネル１００の断面構成例を表したものである。図４Ａ、図４Ｂは、表示画素１１０の平面構成例を表したものである。表示パネル１００は、例えば、表示面２００Ａまたは表示面３００Ａの位置に設けられるものである。表示パネル１００は、格子状に配置された複数の表示画素１１０と、複数の表示画素１１０と対向する位置に設けられた表示面１００Ａとを有している。表示面１００Ａが、表示面２００Ａまたは表示面３００Ａに対応している。表示パネル１００は、例えば、映像信号に基づいて映像を表示するものである。表示パネル１００は、例えば、映像信号に応じた映像光が各表示画素１１０から出射されるようになっている。
【００２３】  表示画素１１０は、例えば、発光色の互いに異なる複数種類のサブ画素１１１を含んで構成されている。表示画素１１０において、複数種類のサブ画素１１１は、例えば、赤色光を発するサブ画素１１１Ｒ、緑色光を発するサブ画素１１１Ｇおよび青色光を発するサブ画素１１０Ｂで構成されている。サブ画素１１１は、例えば、自らが光を生成する自発光素子を含んで構成されている。なお、サブ画素１１１は、例えば、入射光を光変調する素子を含んで構成されていてもよい。
【００２４】  サブ画素１１１Ｒ，１１１Ｇ，１１１Ｂは、それぞれ、例えば、図４Ａ、図４Ｂに示したように、長方形状となっており、例えば、８０μｍ（線分Ｌｄと平行な方向の長さ）×２７μｍ（線分Ｌｃと平行な方向の長さ）の長方形状となっている。サブ画素１１１Ｒ，１１１Ｇ，１１１Ｂは、例えば、図４Ａ、図４Ｂに示したように、サブ画素１１１Ｒの短辺が延在する方向に、サブ画素１１１Ｒ、サブ画素１１１Ｇ、サブ画素１１１Ｂの順に並んで配置されている。このとき、複数の表示画素１１０は、線分Ｌｃと平行な方向に、配列ピッチΔＬｃと等しいピッチ（例えば１００μｍ）で並んで配置されている。さらに、複数の表示画素１１０は、線分Ｌｄと平行な方向に、配列ピッチΔＬｄと等しいピッチ（例えば１００μｍ）で並んで配置されている。
【００２５】  表示パネル１００、ピンホールマスク１０およびマイクロレンズアレイ２０を平面視した場合に、例えば、図４Ａに示したように、各ピンホール１１および各マイクロレンズ２１の中心が、ともに、表示画素１１０の中心と重なり合っている。表示パネル１００、ピンホールマスク１０およびマイクロレンズアレイ２０を平面視した場合に、例えば、図４Ｂに示したように、各ピンホール１１および各マイクロレンズ２１の中心が、ともに、表示画素１１０の中心から特定の方向に所定の大きさだけシフトしていてもよい。つまり、光学シート１が表示面１００Ａに貼り合わされた場合に、表示面１００Ａ内での光学シート１の座標位置については、特に制限がない。
【００２６】  次に、サブ画素１１１、ピンホール１１およびマイクロレンズ２１の配置および大きさについて、図３、図４Ａ、図４Ｂ、図５、図５を用いて説明する。図５、図６は、サブ画素１１１、ピンホール１１およびマイクロレンズ２１の配置および大きさの一例を表したものである。ここで、光学シート１が表示面１００Ａに貼り合わされた場合に、各サブ画素１１１から発せられた光の光路上に散乱または拡散の作用を有する部材が全く設けられていないと仮定する。このとき、複数のピンホール１１および複数のマイクロレンズ２１は、全種類のサブ画素１１１から発せられた光が共通の１つのピンホール１１である特定ピンホール１１αに入射するとともに特定ピンホール１１αで回折した結果、特定ピンホール１１αから出射された各回折光が１つのマイクロレンズ２１である特定マイクロレンズ２１αに入射する配置および大きさとなっている。
【００２７】  具体的には、複数のピンホール１１および複数のマイクロレンズ２１が、以下の式（１）を満たす配置および大きさとなっている。  θ１＞θ２…（１）  θ１：特定ピンホール１１αの中心および点Ｐ１を通る第１線分Ｌ１と、特定ピンホール１１αの中心および特定マイクロレンズ２１αの中心を通る第２線分Ｌ２とのなす角  θ２：特定ピンホール１１αの中心および点Ｐ２を通る第３線分Ｌ３と、第２線分Ｌ２とのなす角  Ｐ１：特定ピンホール１１αに最も近い全種類のサブ画素１１１のうち、特定ピンホール１１αの中心から最も遠いサブ画素１１１（第１サブ画素）の、特定ピンホール１１αから最も遠い点  Ｐ２：特定マイクロレンズ２１αの端部
【００２８】  このとき、点Ｐ１は、例えば、図４Ａ、図４Ｂ、図５に示したように、サブ画素１１１Ｒの左上隅となる。式（１）は、ピンホール１１が回折効果を有していないと仮定した場合に、サブ画素１１１（第１サブ画素）から発せられた光のうち、特定ピンホール１１αに入射した光の一部だけが、特定マイクロレンズ２１αに入射することを示している。つまり、式（１）では、Ｄ１＜Ｄ２が前提となっている。距離Ｄ２は、例えば、マイクロレンズ２１の焦点距離の±１０％の範囲内の大きさとなっている。ここで、マイクロレンズ２１の直径が１００μｍ、Ｄ２が１５００μｍのとき、θ２は、２．７０°となる。さらに、図４Ａにおける、Ｐ１とピンホール１１との平面上の距離が７１μｍ、Ｄ１が１０００μｍのとき、θ１は、４．０４°（＞θ２）となる。  Ｄ１：特定ピンホール１１αの中心と表示画素１１０との距離  Ｄ２：特定マイクロレンズ２１αの中心と特定ピンホール１１αの中心との距離
【００２９】  「特定ピンホール１１αに最も近い全種類のサブ画素１１１」は、例えば、図５に示したように、特定ピンホール１１αと対向する表示画素１１０（特定表示画素）に含まれる全種類のサブ画素１１１に対応する。なお、ピンホール１１の中心が表示画素１１０の中心から特定の方向に所定の大きさだけシフトしている場合には、「特定ピンホール１１αに最も近い全種類のサブ画素１１１のうち一部の種類のサブ画素１１１が、特定表示画素に隣接する表示画素１１０に含まれるサブ画素１１１である場合もあり得る。
【００３０】  さらに、特定ピンホール１１αの直径φｈｏｌｅ１は、以下の式（２）を満たしている。式（２）は、特定表示画素およびそれに隣接する表示画素１１０から特定ピンホール１１αに入射した光が回折角θｄｉｆｆで回折したのち、特定マイクロレンズ２１αに入射し、その結果、同色の光が特定マイクロレンズ２１α全体を照明することを示している。つまり、式（２）は、高い色再現性および少ない色むらを実現するための式である。  φｈｏｌｅ１＜λ／θ３…（２）  λ：サブ画素１１１から発せられる光の中心波長  θ３：特定ピンホール１１αの中心および点Ｐ３を通る第４線分Ｌ４と、特定ピンホール１１αの中心および点Ｐ４を通る第５線分Ｌ５とのなす角  Ｐ３：サブ画素１１１（第１サブ画素）の、特定ピンホール１１αに最も近い点  Ｐ４：サブ画素１１１（第１サブ画素）に隣接する、サブ画素１１１（第１サブ画素）と同一種類の複数のサブ画素１１１のうち、特定ピンホール１１αの中心に最も近いサブ画素１１１（第２サブ画素）を平面視したときに、サブ画素１１１（第２サブ画素）のうち、特定ピンホール１１αの中心と対向する箇所および点Ｐ３を通る第６線分Ｌ６（図６参照）と交差する箇所であって、かつ、特定ピンホール１１αに最も近い点
【００３１】  式（２）は、以下の式（３）、式（４）から得られる。  θｄｉｆｆ＝λ／（２×φｈｏｌｅ１）…（３）  ２×θｄｉｆｆ＞θ３…（４）
【００３２】  点Ｐ３は、例えば、図４Ａに示したように、特定ピンホール１１αと対向する表示画素１１０に含まれるサブ画素１１Ｒの右エッジの中央部分となる。また、点Ｐ３は、例えば、図４Ｂに示したように、特定ピンホール１１αと対向する表示画素１１０に含まれるサブ画素１１Ｒの右エッジの下寄りの部分となる。点Ｐ４は、例えば、図４Ａに示したように、特定ピンホール１１αと対向する表示画素１１０に隣接する表示画素１１０に含まれるサブ画素１１１Ｒの左エッジの中央部分となる。また、点Ｐ４は、例えば、図４Ｂに示したように、特定ピンホール１１αと対向する表示画素１１０に隣接する表示画素１１０に含まれるサブ画素１１１Ｒの左エッジの下寄りの部分となる。ここで、λが０．５５μｍ、ピンホール１１の直径φｈｏｌｅ１が７．５μｍのとき、θｄｉｆｆは２．５６°となる。さらに、図４Ａにおける、Ｐ３とＰ４との距離が６６．７μｍ、Ｄ１が１０００μｍのとき、θ３は、３．８２°となる。これにより、２×θｄｉｆｆ／θ３＝１．３４（＞１）となる。
【００３３】  上記の式（１）〜式（４）は、ピンホール１１による回折効果と、サブ画素１１１、ピンホール１１およびマイクロレンズ２１の幾何学的な構成とにより表現されている。上記の式（１）〜式（４）は、表示画素１１０とピンホールマスク１０との間に、散乱または拡散の作用を有する部材を設けなくても、高い色再現性および少ない色むらを実現できることを示唆している。つまり、複数のピンホール１１および複数のマイクロレンズ２１が、式（１）を満たす配置および大きさとなっており、さらに、特定ピンホール１１αの直径φｈｏｌｅ１が、式（２）を満たしている場合には、表示画素１１０とピンホールマスク１０との間に、色再現性および色むらを改善するために、散乱板や拡散板を設ける必要がない。表示画素１１０とピンホールマスク１０との間に、散乱板や拡散板が設けられていても構わないが、そのようにした場合には、散乱板や拡散板によって、むしろ、コントラストや光透過率が低下する懸念がある。
【００３４】  式（２）からは、特定表示画素および特定表示画素に隣接する表示画素１１０から発せられた同色の光が、特定マイクロレンズ２１α全体を照明することがわかる。各ピンホール１１および各マイクロレンズ２１の中心が、ともに、表示画素１１０の中心と重なり合っている場合には、特定表示画素から発せられた光が特定マイクロレンズ２１αを照明する面積の方が、特定表示画素に隣接する表示画素１１０から発せられた光が特定マイクロレンズ２１αを照明する面積よりも広くなる。一方、各ピンホール１１および各マイクロレンズ２１の中心が、ともに、表示画素１１０の中心から特定の方向に所定の大きさだけシフトしている場合には、特定表示画素に隣接する表示画素１１０から発せられた光が特定マイクロレンズ２１αを照明する面積の方が、特定表示画素から発せられた光が特定マイクロレンズ２１αを照明する面積よりも広くなる場合もある。このように、双方の光の照明面積の割合は、各ピンホール１１および各マイクロレンズ２１の中心位置に応じて変化するが、双方の光の照明面積の割合に依らず、同色の光が特定マイクロレンズ２１α全体を照明する。このことから、光学シート１が表示面１００Ａに貼り合わされた場合に、表示面１００Ａ内での光学シート１の座標位置については、特に制限がないことがわかる。
【００３５】（レンズシート３０）  レンズシート３０は、各マイクロレンズ２１を通過した光を互いに重ね合わせるようになっている。レンズシート３０は、例えば、凸レンズ、または、フィールドレンズである。レンズシート３０が凸レンズである場合、レンズシート３０は、各マイクロレンズ２１を通過した光を集光する機能も有している。レンズシート３０は、例えば、図７に示したように、凸レンズの機能を有するフレネルレンズであってもよい。ここで、ピンホールマスク１０、マイクロレンズアレイ２０およびレンズシート３０は、例えば、図３に示したように、各ピンホール１１で回折した光を、所定の位置における直径φ１が瞳２１０の瞳孔の直径φ２よりも小さな直径（例えば、０．１ｍｍ以上３ｍｍ以下）となるように互いに重ね合わせるように構成されている。「所定の位置」は、具体的には、瞳２１０の瞳孔位置である。例えば、Ｄ２＝１５００μｍ、マイクロレンズ２１と瞳２１０の瞳孔との距離＝２００ｍｍとなっているとき、各ピンホール１１を通過した光線の、瞳２１０の瞳孔位置における直径φ１が１ｍｍとなっている。
【００３６】  以下で、直径φ１を直径φ２よりも小さくする意義について説明する。
【００３７】  老眼の場合、瞳２１０の屈折力が弱いので、網膜２２０上に焦点を結ぶことができない。そのため、例えば、表示パネル１００の表示面１００Ａ上に光学シート１が設けられていない場合には、各表示画素１００から発せられ、瞳２１０全体に入射した個々の光束（入射光束）は、網膜２２０上に大きな像を形成する。そのため、観察者は、焦点の合った像を見ることができない。しかも、上述した個々の入射光束の一部が、網膜２２０上で重なり合う。そのため、観察者は、上述した個々の入射光束を互いに分離して認識することができない。従って、観察者は、ぼやけた像を見ることになる。
【００３８】  一方、直径φ１が直径φ２よりも小さくなっている場合には、例えば、図３に示したように、各ピンホール１１で回折した光が網膜２２０上に小さな像を形成する。そのため、観察者は、上記の場合と比べて、焦点のより合った像を見ることができる。さらに、各ピンホール１１で回折した光が網膜２２０上で重なり合わず、網膜２２０上の互いに異なる箇所に像を形成する。そのため、観察者は、各ピンホール１１で回折した光を互いに分離して認識することができる。従って、観察者は、上記の場合と比べて、より鮮明な像を見ることができる。
【００３９】  ここで、通常の明るさの時の成人の瞳２１０の瞳孔の直径φ２は、３ｍｍよりも若干大きい。そのため、各ピンホール１１で回折した光が網膜２２０上で互いに分離されるためには、瞳２１０の瞳孔位置における直径φ１が３ｍｍ以下となっていることが好ましい。ただし、各ピンホール１１で回折した光を絞り過ぎてしまうと、網膜２２０の角解像力が悪化する。網膜２２０の角解像力が許容される最小値となっているとき、瞳２１０の瞳孔位置における直径φ１は０．１ｍｍである。従って、マイクロレンズアレイ２０およびレンズシート３０は、各ピンホール１１で回折した光を、瞳２１０の瞳孔位置における直径φ１が０．１ｍｍ以上３ｍｍ以下となるように互いに重ね合わせるように構成されていることが好ましい。
【００４０】[作用]   次に、本実施の形態の光学シート１の作用について説明する。表示パネル１００に対して外部から映像信号が入力されると、映像信号に応じた光が各表示画素１１０から出射される。具体的には、サブ画素１１１Ｒから赤色光が発せられ、サブ画素１１１Ｇから緑色光が発せられ、サブ画素１１１Ｂから青色光が発せられる。各サブ画素１１１から発せられた光が、ピンホール１１で回折されたのち、マイクロレンズ２１に入射する。具体的には、特定表示画素の各サブ画素１１１から発せられた光と、特定表示画素に隣接する表示画素１１０から発せられた光が、特定ピンホール１１αで回折され、特定マイクロレンズ２１αに入射する。このとき、特定表示画素および特定表示画素に隣接する表示画素１１０から発せられた同色の光が、特定マイクロレンズ２１α全体を照明する。各マイクロレンズ２１に入射した光は、レンズシート３０で集光されると共に、互いに重ね合わされる。具体的には、各マイクロレンズ２１に入射した光は、レンズシート３０で集光されると共に、瞳２１０の瞳孔位置における直径φ１が瞳２１０の瞳孔の直径φ２よりも小さな直径（例えば、０．１ｍｍ以上３ｍｍ以下）となるように互いに重ね合わされる。
【００４１】[効果]  次に、本実施の形態の光学シート１における効果について説明する。本実施の形態の光学シート１では、全種類のサブ画素１１１から発せられた光が特定ピンホール１１αに入射するとともに特定ピンホール１１αで回折した結果、特定ピンホール１１αから出射された各回折光が特定マイクロレンズ２１αに入射する。このように、本実施の形態では、ピンホール１１による回折効果が利用されるので、全種類のサブ画素１１１から発せられた光の一部が、回折により、入射角よりも小さな出射角で特定ピンホール１１αから出射され、特定マイクロレンズ２１αに入射する。そのため、ピンホールマスク１０と表示画素１１０との間隙を狭くした場合であっても、色再現性の低下を抑制することができる。つまり、色再現性の低下を抑制しつつ、ピンホールマスク１０と表示画素１１０との間隙を狭くすることができる。従って、厚さの薄い光学シート１を実現することができる。
【００４２】  また、本実施の形態では、ピンホール１１による回折効果が利用されるので、ピンホールマスク１０と表示画素１１０との間隙に散乱板や拡散板を配置して、色再現性の低下を抑制する必要もない。従って、散乱板や拡散板が存在しない分だけ、高いコントラストや高い光透過率を実現することができる。
【００４３】  また、本実施の形態では、ピンホール１１の直径φｈｏｌｅ１が式（２）を満たしている。これにより、特定表示画素および特定表示画素に隣接する表示画素１１０から発せられた同色の光によって、特定マイクロレンズ２１α全体が照明される。その結果、高い色再現性および少ない色むらを実現することができる。
【００４４】＜２．第１の実施の形態の変形例＞  以下に、上記実施の形態の表示装置１の種々の変形例について説明する。なお、以下では、上記実施の形態の表示装置１と共通する構成要素に対しては、同一の符号が付与される。さらに、上記実施の形態の表示装置１と共通する構成要素についての説明は、適宜、省略されるものとする。
【００４５】［変形例１］  上記実施の形態では、複数のピンホール１１が、マイクロレンズ２１ごとに１つずつ割り当てられていた。しかし、上記実施の形態において、複数のピンホール１１が、マイクロレンズ２１ごとに複数個ずつ割り当てられていてもよい。このとき、複数のピンホール１１の配列ピッチΔＬａは、複数のマイクロレンズ２１の配列ピッチΔＬｃよりも小さくなっており、例えば、配列ピッチΔＬｃの１／ｎ（ｎは正の整数）となっている。複数のピンホール１１の配列ピッチΔＬｂは、複数のマイクロレンズ２１の配列ピッチΔＬｄよりも小さくなっており、例えば、配列ピッチΔＬｄの１／ｎとなっている。
【００４６】  例えば、図８Ａ、図８Ｂ、図８Ｃに示したように、複数のピンホール１１が、マイクロレンズ２１ごとに４個ずつ割り当てられている。図８Ａは、ピンホールマスク１０の平面構成例を表したものである。図８Ｂは、マイクロレンズアレイ２０の平面構成例を表したものである。図８Ｃは、ピンホールマスク１０およびマイクロレンズアレイ２０を互いに重ね合わせたときの平面構成例を表したものである。このとき、複数のピンホール１１の配列ピッチΔＬａは、配列ピッチΔＬｃの１／２となっている。複数のピンホール１１の配列ピッチΔＬｂは、配列ピッチΔＬｄの１／２となっている。
【００４７】［変形例２］  上記実施の形態および変形例１では、複数のマイクロレンズ２１の配列方向と、複数のピンホール１１の配列方向とが、互いに一致しているか、または、概ね一致していた。しかし、上記実施の形態および変形例１において、配列ピッチΔＬａおよび配列ピッチΔＬｂが互いに等しく、さらに、配列ピッチΔＬｃおよび配列ピッチΔＬｄが互いに等しい場合に、複数のマイクロレンズ２１の配列方向が、複数のピンホール１１の配列方向に対して、４５°ずれていてもよい。このとき、線分Ｌｃが、線分Ｌａに対して、時計回りに４５°ずれており、線分Ｌｄが、線分Ｌｂに対して、時計回りに４５°ずれている。さらに、複数のピンホール１１の配列ピッチΔＬａが、配列ピッチΔＬｃの１／ｎ×１／√２となっており、複数のピンホール１１の配列ピッチΔＬｂが、配列ピッチΔＬｄの１／ｎ×１／√２となっている。
【００４８】  例えば、図９Ａ、図９Ｂ、図９Ｃに示したように、複数のピンホール１１の配列ピッチΔＬａが、配列ピッチΔＬｃの１／√２となっており、複数のピンホール１１の配列ピッチΔＬｂが、配列ピッチΔＬｄの１／√２となっている。図９Ａは、ピンホールマスク１０の平面構成例を表したものである。図９Ｂは、マイクロレンズアレイ２０の平面構成例を表したものである。図９Ｃは、ピンホールマスク１０およびマイクロレンズアレイ２０を互いに重ね合わせたときの平面構成例を表したものである。
【００４９】［変形例３］  上記実施の形態では、複数のピンホール１１の２つの配列方向が互いに直交すると共に、複数のマイクロレンズ２１の２つの配列方向が互いに直交していた。さらに、複数の表示画素１１０の２つの配列方向も互いに直交していた。しかし、上記実施の形態および変形例１において、配列ピッチΔＬａ，ΔＬｂ，ΔＬｃ，ΔＬｄが互いに等しい場合に、複数のピンホール１１の２つの配列方向が６０°で交差すると共に、複数のマイクロレンズ２１の２つの配列方向が６０°で交差していてもよい。さらに、表示画素１１０の２つの配列方向も６０°で交差していてもよい。このとき、複数のマイクロレンズ２１の配列方向と、複数のピンホール１１の配列方向とが、互いに一致しているか、または、±０．５°の範囲内で互いに交差している。
【００５０】  例えば、図１０Ａ、図１０Ｂ、図１０Ｃに示したように、マイクロレンズ２１が正六角形となっており、複数のマイクロレンズ２１が、隣り合うマイクロレンズ２１同士の隙間が最小となるように配置されている。図１０Ａは、ピンホールマスク１０の平面構成例を表したものである。図１０Ｂは、マイクロレンズアレイ２０の平面構成例を表したものである。図１０Ｃは、ピンホールマスク１０およびマイクロレンズアレイ２０を互いに重ね合わせたときの平面構成例を表したものである。
【００５１】  ピンホールマスク１０およびマイクロレンズアレイ２０を平面視した場合に、ピンホール１１の中心が、マイクロレンズ２１の中心と重なり合っていることが好ましい。なお、ピンホールマスク１０およびマイクロレンズアレイ２０を平面視した場合に、各ピンホール１１の中心が、各マイクロレンズ２１の中心から特定の方向に所定の大きさだけシフトしていてもよい。つまり、光学シート１が表示面２００Ａまたは表示面３００Ａに貼り合わされた場合に、表示面２００Ａまたは表示面３００Ａ内での光学シート１の座標位置については、特に制限がない。
【００５２】［変形例４］  上記実施の形態では、表示画素１１０が、３つのサブ画素１１１によって構成されていた。しかし、上記実施の形態および変形例１〜３において、表示画素１１０が、４つ以上のサブ画素１１１によって構成されていてもよい。例えば、図１１に示したように、表示画素１１０が、６つのサブ画素１１１によって構成されていてもよい。図１１は、表示画素１１０の平面構成例を表したものである。
【００５３】  このとき、各表示画素１１０は、３種類のサブ画素１１１によって構成されると共に、２つのサブ画素１１１Ｒ、２つのサブ画素１１１Ｇ、および２つのサブ画素１１１Ｂによって構成されている。２つのサブ画素１１１Ｒは、例えば、表示画素１１０の左寄りの位置に、表示画素１００の縦方向に並んで配置されている。２つのサブ画素１１１Ｇは、例えば、表示画素１１０の中央の位置に、表示画素１００の縦方向に並んで配置されている。２つのサブ画素１１１Ｂは、例えば、表示画素１１０の右寄りの位置に、表示画素１００の縦方向に並んで配置されている。
【００５４】［変形例５］  上記実施の形態では、表示画素１１０が、３種類のサブ画素１１１によって構成されていた。しかし、上記実施の形態および変形例１〜３において、表示画素１１０が、４種類以上のサブ画素１１１によって構成されていてもよい。例えば、図１２に示したように、表示画素１１０が、４種類のサブ画素１１１によって構成されていてもよい。図１２は、表示画素１１０の平面構成例を表したものである。
【００５５】  このとき、各表示画素１１０において、４種類のサブ画素１１１は、例えば、サブ画素１１１Ｒ、サブ画素１１１Ｇ、サブ画素１１１Ｂおよびサブ画素１１１Ｗによって構成されている。サブ画素１１１Ｗは、白色光を発するようになっている。サブ画素１１１Ｗは、例えば、自らが光を生成する自発光素子を含んで構成されている。なお、サブ画素１１１Ｗは、例えば、入射光を光変調する素子を含んで構成されていてもよい。
【００５６】  また、各表示画素１１０は、４種類のサブ画素１１１によって構成されると共に、例えば、２つのサブ画素１１１Ｒ、２つのサブ画素１１１Ｇ、２つのサブ画素１１１Ｂおよび２つのサブ画素１１１Ｗによって構成されている。２つのサブ画素１１１Ｒは、例えば、表示画素１１０の左寄りの位置に、表示画素１００の縦方向に並んで配置されている。２つのサブ画素１１１Ｇは、例えば、表示画素１１０の中央左寄りの位置に、表示画素１００の縦方向に並んで配置されている。２つのサブ画素１１１Ｂは、例えば、表示画素１１０の中央右寄りの位置に、表示画素１００の縦方向に並んで配置されている。２つのサブ画素１１１Ｗは、例えば、表示画素１１０の左寄りの位置に、表示画素１００の縦方向に並んで配置されている。
【００５７】［変形例６］  上記実施の形態および変形例１〜５では、各サブ画素１１１が長方形状となっていた。しかし、上記実施の形態および変形例１〜５において、各サブ画素１１１が、正方形状となっていてもよい。このとき、各表示画素１００において、複数のサブ画素１１１が、例えば、図１３に示したように、格子状に配置されていてもよい。図１３は、表示画素１１０の平面構成例を表したものである。
【００５８】  変形例１〜６では、上記実施の形態と同様、ピンホール１１による回折効果が利用されるので、厚さの薄い光学シート１を実現することができ、散乱板や拡散板が存在しない分だけ、高いコントラストや高い光透過率を実現することができる。また、変形例１〜６では、上記実施の形態と同様、ピンホール１１の直径φｈｏｌｅ１が式（２）を満たしているので、高い色再現性および少ない色むらを実現することができる。
【００５９】＜３．第２の実施の形態＞  次に、本技術の第２の実施の形態の光学シート２について説明する。光学シート２は、本技術の「光学シート」の一具体例に対応する。図１４は、本技術の第２の実施の形態の光学シート２の概略構成例を表したものである。光学シート２は、光学シート１において、レンズシート３０およびスペーサ５０を省略すると共に、ピンホールマスク１０の代わりにピンホールマスク６０を設けたものに相当する。光学シート２は、光学シート１と同様、例えば、表示面２００Ａまたは表示面３００Ａに貼り付けるのに適したものである。
【００６０】  光学シート２は、例えば、図１４に示したように、ピンホールマスク６０、マイクロレンズアレイ２０およびスペーサ４０を備えている。ピンホールマスク６０は、本技術の「ピンホールマスク」の一具体例に対応する。ピンホールマスク６０の表面が光学シート２の光入射面となっており、マイクロレンズアレイ２０の表面が光学シート２の光出射面となっている。なお、ピンホールマスク６０の表面（光入射面）に、接着層、粘着層、または帯電層が設けられていてもよい。また、マイクロレンズアレイ２０の表面（光出射面）に、マイクロレンズアレイ２０を保護する保護膜が設けられていてもよい。
【００６１】（ピンホールマスク６０）  ピンホールマスク６０は、表示画素１１０から発せられる光に対して回折効果のある複数のピンホール６１を有している。ピンホール６１は、本技術の「ピンホール」の一具体例に対応する。ピンホール６１は、表示画素１１０から発せられる光（可視光）に対して回折効果のある直径を有しており、例えば、７．５μｍの直径を有している。ピンホール６１は、光遮光性を有するシート状の部材に設けられている。従って、ピンホールマスク６０は、各ピンホール６１を介して、表示画素１１０から発せられる光を透過するようになっている。ピンホールマスク６０は、例えば、スペーサ４０の光入射面に対して、ブラックカーボンなどを含む遮光材料を塗布したのち、塗布した遮光材料に複数の開口を形成することにより形成される。ピンホールマスク６０は、例えば、スペーサ４０の光入射面に対して、クロムの薄膜を形成したのち、クロムの薄膜に対して、エッチングで開口を形成することにより形成されてもよい。
【００６２】  図１５は、ピンホールマスク６０およびマイクロレンズアレイ２０の平面構成例を表したものである。複数のピンホール６１は、格子状に配置されている。複数のピンホール６１は、線分Ｌｅと平行な方向に並んで配置されるとともに、線分Ｌｅと直交または略直交する線分Ｌｆと平行な方向に並んで配置されている。複数のピンホール６１は、線分Ｌｅと平行な方向に、配列ピッチΔＬｅで並んで配置されている。瞳２１０の瞳孔位置で各ピンホール６１で回折した光が互いに重なり合うように、配列ピッチΔＬｅは、配列ピッチＬｃよりも大きくなっており、例えば、１００．７５μｍとなっている。複数のピンホール６１は、線分Ｌｆと平行な方向に、配列ピッチΔＬｆで並んで配置されている。瞳２１０の瞳孔位置で各ピンホール６１で回折した光が互いに重なり合うように、配列ピッチΔＬｆは、配列ピッチＬｄよりも大きくなっており、例えば、１００．７５μｍとなる。
【００６３】  複数のピンホール６１は、線分Ｌｃと平行な方向±１．０°の範囲内の方向に並んで配置されると共に、線分Ｌｄと平行な方向±１．０°の範囲内の方向に並んで配置されている。ここで、線分Ｌｅと平行な方向は、線分Ｌｃと平行な方向±１．０°の範囲内の方向に対応する。線分Ｌｆと平行な方向は、線分Ｌｄと平行な方向±１．０°の範囲内の方向に対応する。
【００６４】  複数のマイクロレンズ２１は、線分Ｌｃと平行な方向に、配列ピッチΔＬｃで並んで配置されている。配列ピッチΔＬｃは、配列ピッチＬｅよりも小さくなっており、例えば、１００μｍとなっている。複数のマイクロレンズ２１は、線分Ｌｄと平行な方向に、配列ピッチΔＬｄで並んで配置されている。配列ピッチΔＬｄは、配列ピッチＬｆよりも小さくなっており、例えば、１００μｍとなっている。
【００６５】  ピンホールマスク６０およびマイクロレンズアレイ２０は、各ピンホール６１で回折した光を互いに重ね合わせるようになっている。ピンホールマスク６０およびマイクロレンズアレイ２０は、例えば、図１６に示したように、各ピンホール６１で回折した光を、所定の位置における直径φ１が瞳２１０の瞳孔の直径φ２よりも小さな直径（例えば、０．１ｍｍ以上３ｍｍ以下）となるように互いに重ね合わせるように構成されている。「所定の位置」は、具体的には、瞳２１０の瞳孔位置である。例えば、Ｄ２＝１５００μｍ、マイクロレンズ２１と瞳２１０の瞳孔との距離＝２００ｍｍとなっているとき、各ピンホール６１を通過した光線の、瞳２１０の瞳孔位置における直径φ１が１ｍｍとなっている。図１６は、光学シート２が表示パネル１００の表示面１００Ａに貼り合わされたときの、光学シート２および表示パネル１００の断面構成例を表したものである。
【００６６】  具体的には、複数のマイクロレンズ２１は、ピンホール６１ごとに１つずつ割り当てられている。マイクロレンズ２１および表示画素１１０は、互いに対向配置されている。ピンホールマスク６０およびマイクロレンズアレイ２０を平面視した場合に、ある１つのピンホール６１の中心が、ある１つのマイクロレンズ２１の中心と重なり合っている。図１５には、ピンホール６１の中心と、マイクロレンズ２１の中心とが互いに重なり合っている箇所（以下、「点Ｐ５」と称する。）が、ピンホールマスク６０の中央に位置している例が示されている。なお、点Ｐ５が、ピンホールマスク６０の中央とは異なる箇所に位置していてもよい。ピンホールマスク６０およびマイクロレンズアレイ２０を平面視した場合に、各ピンホール６１の中心は、各ピンホール６１と対向するマイクロレンズ２１の中心と対向する位置から、点Ｐ５を中心とした放射方向にシフトしており、さらに、そのシフト量は、点Ｐ５からの距離が大きくなるにつれて、大きくなっている。なお、配列ピッチΔＬｅ，ΔＬｆは、場所に依らず固定値となっている。
【００６７】  次に、サブ画素１１１およびピンホール６１の配置および大きさについて，図１６、図１７、図１８、図１９を用いて説明する。図１７、図１８は、サブ画素１１１、ピンホール６１およびマイクロレンズ２１の配置および大きさの一例を表したものである。図１９は、表示画素１１０の平面構成例を表したものである。
【００６８】  ここで、光学シート２が表示面１００Ａに貼り合わされた場合に、各サブ画素１１１から発せられた光の光路上に散乱または拡散の作用を有する部材が全く設けられていないと仮定する。このとき、複数のピンホール６１および複数のマイクロレンズ２１は、全種類のサブ画素１１１から発せられた光が共通の１つのピンホール６１である特定ピンホール６１αに入射するとともに特定ピンホール６１αで回折した結果、特定ピンホール６１αから出射された各回折光が１つのマイクロレンズ２１である特定マイクロレンズ２１αに入射する配置および大きさとなっている。
【００６９】  具体的には、複数のピンホール６１および複数のマイクロレンズ２１が、以下の式（５）を満たす配置および大きさとなっている。  θ４＞θ５…（５）  θ４：特定ピンホール６１αの中心および点Ｐ６を通る第１線分Ｌ１１と、特定ピンホール６１αの中心および特定マイクロレンズ２１αの中心を通る第２線分Ｌ１２とのなす角  θ５：特定ピンホール６１αの中心および点Ｐ２を通る第３線分Ｌ１３と、第２線分Ｌ１２とのなす角  Ｐ６：特定ピンホール６１αに最も近い全種類のサブ画素１１１のうち、特定ピンホール６１αの中心から最も遠いサブ画素１１１（第１サブ画素）の、特定ピンホール６１αから最も遠い点
【００７０】  このとき、点Ｐ６は、例えば、図１７、図１９に示したように、サブ画素１１１Ｒの左上隅となる。式（５）は、ピンホール６１が回折効果を有していないと仮定した場合に、サブ画素１１１（第１サブ画素）から発せられた光のうち、特定ピンホール６１αに入射した光の一部だけが、特定マイクロレンズ２１αに入射することを示している。つまり、式（５）は、Ｄ３＜Ｄ４の概念を含む式である。Ｄ４は、マイクロレンズ２１の焦点距離の±１０％の範囲内の大きさとなっている。  Ｄ３：特定ピンホール６１αの中心と表示画素１１０との距離  Ｄ４：特定マイクロレンズ２１αの中心と特定ピンホール６１αの中心との距離
【００７１】  「特定ピンホール６１αに最も近い全種類のサブ画素１１１」には、例えば、図１７に示したように、特定表示画素内の２種類のサブ画素１１１（サブ画素１１１Ｇ，１１１Ｂ）、特定表示画素に隣接する表示画素１１０内の残りの１種類のサブ画素１１１（サブ画素１１１Ｒ）が含まれる。なお、特定ピンホール６１αの場所によっては、「特定ピンホール６１αに最も近い全種類のサブ画素１１１」には、特定表示画素内の全ての種類のサブ画素１１１（サブ画素１１１Ｇ，１１１Ｂ，１１１Ｒ）が含まれ得る。
【００７２】  さらに、特定ピンホール６１αの直径φｈｏｌｅは、以下の式（６）を満たしている。式（６）は、特定表示画素およびそれに隣接する表示画素１１０から特定ピンホール６１αに入射した光が回折角θｄｉｆｆで回折したのち、特定マイクロレンズ２１αに入射し、その結果、同色の光が特定マイクロレンズ２１α全体を照明することを示している。つまり、式（６）は、高い色再現性および少ない色むらを実現するための式である。  φｈｏｌｅ＜λ／θ６…（６）  θ６：特定ピンホール６１αの中心および点Ｐ７を通る第４線分Ｌ１４と、特定ピンホール６１αの中心および点Ｐ８を通る第５線分Ｌ１５とのなす角  Ｐ７：サブ画素１１１（第１サブ画素）の、特定ピンホール６１αに最も近い点  Ｐ８：サブ画素１１１（第１サブ画素）に隣接する、サブ画素１１１（第１サブ画素）と同一種類の複数のサブ画素１１１のうち、特定ピンホール６１αの中心に最も近いサブ画素１１１（第２サブ画素）を平面視したときに、サブ画素１１１（第２サブ画素）のうち、特定ピンホール６１αの中心と対向する箇所および点Ｐ７を通る第６線分Ｌ１６（図１９参照）と交差する箇所であって、かつ、特定ピンホール６１αに最も近い点
【００７３】  式（６）は、以下の式（７）、式（８）から得られる。  θｄｉｆｆ＝λ／（２×φｈｏｌｅ２）…（７）  ２×θｄｉｆｆ＞θ６…（８）
【００７４】  点Ｐ７は、例えば、図１９に示したように、特定ピンホール１１αと対向する表示画素１１０に隣接する表示画素１１０に含まれるサブ画素１１Ｒの左エッジの下寄りの部分となる。点Ｐ８は、例えば、図１９に示したように、特定ピンホール１１αと対向する表示画素１１０に含まれるサブ画素１１１Ｒの右エッジの下寄りの部分となる。
【００７５】  上記の式（５）〜式（８）は、ピンホール６１による回折効果と、サブ画素１１１、ピンホール６１およびマイクロレンズ２１の幾何学的な構成とにより表現されている。上記の式（５）〜式（８）は、表示画素１１０とピンホールマスク６０との間に、散乱または拡散の作用を有する部材を設けなくても、高い色再現性および少ない色むらを実現できることを示唆している。つまり、複数のピンホール６１および複数のマイクロレンズ２１が、式（４）を満たす配置および大きさとなっており、さらに、特定ピンホール６１αの直径φｈｏｌｅ２が、式（６）を満たしている場合には、表示画素１１０とピンホールマスク６０との間に、色再現性および色むらを改善するために、散乱板や拡散板を設ける必要がない。表示画素１１０とピンホールマスク６０との間に、散乱板や拡散板が設けられていても構わないが、そのようにした場合には、散乱板や拡散板によって、むしろ、コントラストや光透過率が低下する懸念がある。
【００７６】  式（６）からは、特定表示画素および特定表示画素に隣接する表示画素１１０から発せられた同色の光が、特定マイクロレンズ２１α全体を照明することがわかる。各ピンホール６１および各マイクロレンズ２１の中心が、ともに、表示画素１１０の中心と重なり合っている場合には、特定表示画素から発せられた光が特定マイクロレンズ２１αを照明する面積の方が、特定表示画素に隣接する表示画素１１０から発せられた光が特定マイクロレンズ２１αを照明する面積よりも広くなる。一方、各ピンホール６１および各マイクロレンズ２１の中心が、ともに、表示画素１１０の中心から特定の方向に所定の大きさだけシフトしている場合には、特定表示画素に隣接する表示画素１１０から発せられた光が特定マイクロレンズ２１αを照明する面積の方が、特定表示画素から発せられた光が特定マイクロレンズ２１αを照明する面積よりも広くなる場合もある。このように、双方の光の照明面積の割合は、各ピンホール６１および各マイクロレンズ２１の中心位置に応じて変化するが、双方の光の照明面積の割合に依らず、同色の光が特定マイクロレンズ２１α全体を照明する。このことから、光学シート２が表示面１００Ａに貼り合わされた場合に、表示面１００Ａ内での光学シート２の座標位置については、特に制限がないことがわかる。
【００７７】[作用]  次に、本実施の形態の光学シート２の作用について説明する。表示パネル１００に対して外部から映像信号が入力されると、映像信号に応じた光が各表示画素１１０から出射される。具体的には、サブ画素１１１Ｒから赤色光が発せられ、サブ画素１１１Ｇから緑色光が発せられ、サブ画素１１１Ｂから青色光が発せられる。各サブ画素１１１から発せられた光が、ピンホール６１で回折されたのち、マイクロレンズ２１に入射する。具体的には、特定表示画素の各サブ画素１１１から発せられた光と、特定表示画素に隣接する表示画素１１０から発せられた光が、特定ピンホール６１αで回折され、特定マイクロレンズ２１αに入射する。このとき、特定表示画素および特定表示画素に隣接する表示画素１１０から発せられた同色の光が、特定マイクロレンズ２１α全体を照明する。各マイクロレンズ２１に入射した光は、マイクロレンズ２１と、ピンホール６１との位置関係によって、互いに重ね合わされる。具体的には、各マイクロレンズ２１に入射した光は、瞳２１０の瞳孔位置における直径φ１が瞳２１０の瞳孔の直径φ２よりも小さな直径（例えば、０．１ｍｍ以上３ｍｍ以下）となるように互いに重ね合わされる。
【００７８】[効果]  次に、本実施の形態の光学シート２における効果について説明する。本実施の形態の光学シート２では、全種類のサブ画素１１１から発せられた光が特定ピンホール６１αに入射するとともに特定ピンホール６１αで回折した結果、特定ピンホール６１αから出射された各回折光が特定マイクロレンズ２１αに入射する。このように、本実施の形態では、ピンホール６１による回折効果が利用されるので、全種類のサブ画素１１１から発せられた光の一部が、回折により、入射角よりも小さな出射角で特定ピンホール６１αから出射され、特定マイクロレンズ２１αに入射する。そのため、ピンホールマスク６０と表示画素１１０との間隙を狭くした場合であっても、色再現性の低下を抑制することができる。つまり、色再現性の低下を抑制しつつ、ピンホールマスク６０と表示画素１１０との間隙を狭くすることができる。従って、厚さの薄い光学シート２を実現することができる。
【００７９】  また、本実施の形態では、ピンホール６１による回折効果が利用されるので、ピンホールマスク６０と表示画素１１０との間隙に散乱板や拡散板を配置して、色再現性の低下を抑制する必要もない。従って、散乱板や拡散板が存在しない分だけ、高いコントラストや高い光透過率を実現することができる。
【００８０】  また、本実施の形態では、ピンホール６１の直径φｈｏｌｅ２が式（６）を満たしている。これにより、特定表示画素および特定表示画素に隣接する表示画素１１０から発せられた同色の光によって、特定マイクロレンズ２１α全体が照明される。その結果、高い色再現性および少ない色むらを実現することができる。
【００８１】＜４．第２の実施の形態の変形例＞[変形例１]  上記第２の実施の形態では、複数のピンホール６１が、マイクロレンズ２１ごとに１つずつ割り当てられていた。しかし、上記第２の実施の形態において、複数のピンホール６１が、マイクロレンズ２１ごとに複数個ずつ割り当てられていてもよい。このとき、複数のピンホール６１は、ピンホール６１からの光が所定の位置に集光する位置に配置されている。「所定の位置」は、具体的には、瞳２１０の瞳孔位置である。複数のピンホール６１の配列ピッチΔＬｅは、例えば、複数のマイクロレンズ２１の配列ピッチΔＬｃの１／ｎ（ｎは正の整数）となっている。このようにした場合であっても、第２の実施の形態と同様の効果を得ることができる。
【００８２】［変形例２］  上記第２の実施の形態および変形例１では、複数のマイクロレンズ２１の配列方向と、複数のピンホール６１の配列方向とが、互いに一致しているか、または、概ね一致していた。しかし、上記第２の実施の形態および変形例１において、配列ピッチΔＬｃおよび配列ピッチΔＬｄが互いに等しく、さらに、配列ピッチΔＬｅおよび配列ピッチΔＬｆが互いに等しい場合に、複数のマイクロレンズ２１の配列方向が、複数のピンホール６１の配列方向に対して、４５°ずれていてもよい。このとき、線分Ｌｃが、線分Ｌｅに対して、時計回りに４５°ずれており、線分Ｌｄが、線分Ｌｆに対して、時計回りに４５°ずれている。さらに、複数のピンホール６１の配列ピッチΔＬｅが、配列ピッチΔＬｃの１／ｎ×１／√２となっており、複数のピンホール６１の配列ピッチΔＬｆが、配列ピッチΔＬｄの１／ｎ×１／√２となっている。
【００８３】[変形例３]  図２０は、光学シート２の概略構成の一変形例を表したものである。上記第２の実施の形態では、各マイクロレンズ２１が、光出射側に突出する凸形状を有していたが、例えば、図２０に示したように、光入射側に突出する凸形状を有していてもよい。このようにした場合であっても、第２の実施の形態と同様の効果を得ることができる。
【００８４】＜５．第３の実施の形態＞  次に、本技術の第３の実施の形態の表示装置３について説明する。表示装置３は、本技術の「表示装置」の一具体例に対応する。図２１は、本実施の形態の表示装置３の概略構成例を表したものである。表示装置３は、各々が複数のサブ画素１１１を含む複数の表示画素１１０を有する表示パネル１００と、複数の表示画素１１０と対向する位置に設けられた光学シート１とを備えている。光学シート１は、上記第１の実施の形態およびその変形例（変形例１〜変形例６）のうちの１つの光学シート１である。表示パネル１００は、表示パネル１００の最表面１００Ｂ（光学シート１側の表面）に保護層１２０を有している。保護層１２０は、光透過性の保護ガラスまたは保護フィルムである。光学シート１は、表示パネル１００の最表面１００Ｂ（つまり、保護層１２０）に貼り合わされている。最表面１００Ｂは、上述の表示面１００Ａに対応する。
【００８５】  表示装置３は、光学シート１と保護層１２０とを互いに貼り合わせる固定層７０を備えている。固定層７０は、例えば、接着層、粘着層、または帯電フィルムである。帯電フィルムは、静電気を帯びたフィルムであり、静電気を利用して、表示パネル１００の最表面１００Ｂ（つまり、保護層１２０）に貼り合わされている。固定層７０は、光透過性の材料で構成されている。本実施の形態において、固定層７０は、散乱板や拡散板のような、積極的に光を散乱したり拡散したりする機能を有していない。つまり、表示装置３では、上記第１の実施の形態で説明したように、固定層７０が散乱板や拡散板として機能しても支障のない光学設計がなされている。なお、図２２に示したように、固定層７０が省略されていてもよい。この場合に、ピンホールマスク１０が、帯電フィルムの機能を有していてもよい。
【００８６】  本実施の形態では、上記第１の実施の形態と同様、ピンホール１１による回折効果が利用されるので、光学シート１の厚さを薄くすることができ、散乱板や拡散板が存在しない分だけ、高いコントラストや高い光透過率を実現することができる。また、本実施の形態では、上記第１の実施の形態と同様、ピンホール１１の直径φｈｏｌｅ１が式（２）を満たしているので、高い色再現性および少ない色むらを実現することができる。
【００８７】＜６．第４の実施の形態＞  次に、本技術の第４の実施の形態の表示装置４について説明する。表示装置４は、本技術の「表示装置」の一具体例に対応する。図２３は、本実施の形態の表示装置４の概略構成例を表したものである。表示装置４は、各々が複数のサブ画素１１１を含む複数の表示画素１１０を有する表示パネル１００と、複数の表示画素１１０と対向する位置に設けられた光学シート２とを備えている。光学シート２は、上記第２の実施の形態およびその変形例（変形例１，２）のうちの１つの光学シート２である。表示パネル１００は、表示パネル１００の最表面１００Ｂ（光学シート２側の表面）に保護層１２０を有している。光学シート２は、表示パネル１００の最表面１００Ｂ（つまり、保護層１２０）に貼り合わされている。
【００８８】  表示装置４は、光学シート２と保護層１２０とを互いに貼り合わせる固定層７０を備えている。固定層７０は、上記第３の実施の形態と同様、例えば、接着層、粘着層、または帯電フィルムである。帯電フィルムは、静電気を帯びたフィルムであり、静電気を利用して、表示パネル１００の最表面１００Ｂ（つまり、保護層１２０）に貼り合わされている。固定層７０は、光透過性の材料で構成されている。本実施の形態において、固定層７０は、散乱板や拡散板のような、積極的に光を散乱したり拡散したりする機能を有していない。つまり、表示装置４では、上記第２の実施の形態で説明したように、固定層７０が散乱板や拡散板として機能しても支障のない光学設計がなされている。なお、図２４に示したように、固定層７０が省略されていてもよい。この場合に、ピンホールマスク６０が、帯電フィルムの機能を有していてもよい。
【００８９】  本実施の形態では、上記第２の実施の形態と同様、ピンホール６１による回折効果が利用されるので、光学シート２の厚さを薄くすることができ、散乱板や拡散板が存在しない分だけ、高いコントラストや高い光透過率を実現することができる。また、本実施の形態では、上記第２の実施の形態と同様、ピンホール６１の直径φｈｏｌｅ２が式（６）を満たしているので、高い色再現性および少ない色むらを実現することができる。
【００９０】＜７．第５の実施の形態＞  次に、本技術の第５の実施の形態の電子機器２００について説明する。図２５は、本実施の形態の電子機器２００の概略構成例を表したものである。電子機器２００は、例えば、板状の筐体の主面に表示面２００Ａを備えた携帯端末である。電子機器２００は、本技術の「電子機器」の一具体例に対応する。表示面２００Ａは、本技術の「表示面」、「最表面」の一具体例に対応する。電子機器２００は、例えば、表示面２００Ａの位置に表示装置３または表示装置４を備えている。表示装置３は、各々が複数のサブ画素１１１を含む複数の表示画素１１０を有する表示パネル１００と、複数の表示画素１１０と対向する位置に設けられた光学シート１とを備えている。光学シート１は、上記第１の実施の形態およびその変形例（変形例１〜変形例６）のうちの１つの光学シート１である。表示装置４は、各々が複数のサブ画素１１１を含む複数の表示画素１１０を有する表示パネル１００と、複数の表示画素１１０と対向する位置に設けられた光学シート２とを備えている。光学シート２は、上記第２の実施の形態およびその変形例（変形例１，２）のうちの１つの光学シート２である。
【００９１】  光学シート１，２が、表示面２００Ａに対して着脱可能に構成されていてもよい。つまり、電子機器２００のユーザは、表示面２００Ａ内での光学シート１，２の座標位置については特段、留意する必要はない。
【００９２】  本実施の形態では、上記第１および第２の実施の形態と同様、光学シート１，２において、ピンホール１１，６１による回折効果が利用される。これにより、光学シート１，２の厚さを薄くすることができ、散乱板や拡散板が存在しない分だけ、高いコントラストや高い光透過率を実現することができる。また、本実施の形態では、上記第１の実施の形態と同様、ピンホール１１，６１の直径φｈｏｌｅ１が式（２）または式（６）を満たしているので、高い色再現性および少ない色むらを実現することができる。
【００９３】＜８．第６の実施の形態＞  次に、本技術の第６の実施の形態の電子機器３００について説明する。図２６は、本実施の形態の電子機器３００の概略構成例を表したものである。電子機器３００は、例えば、電子機器３００のユーザの耳などに掛けたときにユーザの各眼球の前に表示面３００Ａが配置されるウエアラブルデバイスである。電子機器３００は、本技術の「電子機器」の一具体例に対応する。表示面３００Ａは、本技術の「表示面」、「最表面」の一具体例に対応する。電子機器３００は、例えば、表示面３００Ａの位置に表示装置３または表示装置４を備えている。
【００９４】  光学シート１，２が、表示面３００Ａに対して着脱可能に構成されていてもよい。つまり、電子機器３００のユーザは、表示面３００Ａ内での光学シート１，２の座標位置については特段、留意する必要はない。
【００９５】  本実施の形態では、上記第１および第２の実施の形態と同様、光学シート１，２において、ピンホール１１，６１による回折効果が利用される。これにより、光学シート１，２の厚さを薄くすることができ、散乱板や拡散板が存在しない分だけ、高いコントラストや高い光透過率を実現することができる。また、本実施の形態では、上記第１の実施の形態と同様、ピンホール１１，６１の直径φｈｏｌｅ１が式（２）または式（６）を満たしているので、高い色再現性および少ない色むらを実現することができる。
【００９６】＜９．共通の変形例＞  第１の実施の形態、変形例１〜６および第３の実施の形態において、例えば、図２７に示したように、スペーサ４０が省略され、スペーサ４０の厚さの分だけ、マイクロレンズアレイ２０が厚く形成されていてもよい。また、第２の実施の形態および第４の実施の形態において、例えば、図２８に示したように、スペーサ４０が省略され、スペーサ４０の厚さの分だけ、マイクロレンズアレイ２０が厚く形成されていてもよい。これらのようにした場合には、部品点数を１つ減らすことができ、さらに、反射面（スペーサ４０とマイクロレンズアレイ２０との境界）を１つ減らすことができる。
【００９７】  また、第１の実施の形態、変形例１〜６および第３の実施の形態において、表示画素１１０とピンホールマスク１０との間に、散乱板や拡散板が設けられていてもよい。また、第２の実施の形態および第４の実施の形態において、表示画素１１０とピンホールマスク６０との間に、散乱板や拡散板が設けられていてもよい。
【００９８】  以上、４つの実施の形態および多数の変形例を挙げて本技術を説明したが、本技術は上記実施の形態等に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００９９】  また、例えば、本技術は以下のような構成を取ることができる。（１）  各々が複数のサブ画素を含む複数の表示画素を有する表示パネルと、  複数の前記表示画素と対向する位置に設けられた光学シートと  を備え、  前記光学シートは、  前記表示画素から発せられる光に対して回折効果のある複数のピンホールを有するピンホールマスクと、  複数のマイクロレンズを有するマイクロレンズアレイと  を有し、  複数の前記ピンホールおよび複数の前記マイクロレンズは、各前記サブ画素から発せられた光の光路上に散乱または拡散の作用を有する部材が全く設けられていないと仮定した場合に、全種類の前記サブ画素から発せられた光が共通の１つの前記ピンホールである特定ピンホールに入射するとともに前記特定ピンホールで回折した結果、前記特定ピンホールから出射された各回折光が１つの前記マイクロレンズである特定マイクロレンズに入射する配置および大きさとなっている  表示装置。（２）  複数の前記ピンホールおよび複数の前記マイクロレンズは、以下の式（Ａ）を満たす配置および大きさとなっている  （１）に記載の表示装置。  θ１＞θ２…（Ａ）  θ１：前記特定ピンホールの中心および点Ｐ１を通る第１線分と、前記特定ピンホールの中心および前記特定マイクロレンズの中心を通る第２線分とのなす角  θ２：前記特定ピンホールの中心および点Ｐ２を通る第３線分と、前記第２線分とのなす角  Ｐ１：前記特定ピンホールに最も近い全種類の前記サブ画素のうち、前記特定ピンホールの中心から最も遠い第１サブ画素の、前記特定ピンホールから最も遠い点  Ｐ２：前記特定マイクロレンズの端部（３）  前記特定ピンホールの直径φは、以下の式（Ｂ）を満たす  （２）に記載の表示装置。  φ＜λ／θ３…（Ｂ）  λ：前記表示画素から発せられる光の波長  θ３：前記特定ピンホールの中心および点Ｐ３を通る第４線分と、前記特定ピンホールの中心および点Ｐ４を通る第５線分とのなす角  Ｐ３：前記第１サブ画素の、前記特定ピンホールに最も近い点  Ｐ４：前記第１サブ画素に隣接する、前記第１サブ画素と同一種類の複数のサブ画素のうち、前記特定ピンホールの中心に最も近い第２サブ画素を平面視したときに、前記第２サブ画素のうち、前記特定ピンホールの中心と対向する箇所および前記点Ｐ３を通る第６線分と交差する箇所であって、かつ、前記特定ピンホールに最も近い点（４）  複数の前記マイクロレンズは、第１方向に並んで配置されるとともに、前記第１方向と交差する第２方向に並んで配置され、  複数の前記ピンホールは、前記第１方向±０．５°の範囲内の方向に並んで配置されると共に、前記第２方向±０．５°の範囲内の方向に並んで配置されている  （１）ないし（３）のいずれか１つに記載の表示装置。（５）  各前記マイクロレンズを通過した光を互いに重ね合わせるレンズシートをさらに備え、  複数の前記ピンホールの配列ピッチは、複数の前記マイクロレンズの配列ピッチと等しくなっている  （１）ないし（４）のいずれか１つに記載の表示装置。（６）  複数の前記ピンホールの配列ピッチは、複数の前記マイクロレンズの配列ピッチの１／ｎ（ｎは２以上の整数）または１／（ｎ√２）となっている  （４）に記載の表示装置。（７）  前記��ンホールマスク、前記マイクロレンズアレイおよび前記レンズシートは、各前記ピンホールで回折した光を所定の位置で０．１ｍｍ以上３ｍｍ以下の直径となるように互いに重ね合わせるように構成されている  （５）に記載の表示装置。（８）  前記ピンホールマスク、前記マイクロレンズアレイおよび前記レンズシートは、各前記ピンホールで回折した光を所定の位置で０．１ｍｍ以上３ｍｍ以下の直径となるように互いに重ね合わせるように構成されている  （６）に記載の表示装置。（９）  複数の前記ピンホールの配列ピッチが、複数の前記マイクロレンズの配列ピッチよりも大きくなっている  （１）ないし（４）のいずれか１つに記載の表示装置。（１０）  複数の前記ピンホールの配列ピッチは、複数の前記マイクロレンズの配列ピッチの１／ｎ（ｎは２以上の整数）または１／（ｎ√２）となっている  （９）に記載の表示装置。（１１）  前記ピンホールマスクおよび前記マイクロレンズアレイは、各前記ピンホールで回折した光を所定の位置で０．１ｍｍ以上３ｍｍ以下の直径となるように互いに重ね合わせるように構成されている  （９）に記載の表示装置。（１２）  前記表示パネルは、前記光学シート側の最表面に光透過性の保護ガラスまたは保護フィルムを有し、  前記光学シートは、前記光学シート側の最表面に貼り合わされている  （１）ないし（３）のいずれか１つに記載の表示装置。（１３）  前記光学シートは、静電気を帯びた帯電フィルムを有し、前記帯電フィルムの静電気を利用して、前記光学シート側の最表面に貼り合わされている  （１２）に記載の表示装置。（１４）  前記光学シートと前記保護ガラスまたは前記保護フィルムとを互いに貼り合わせる接着層または粘着層をさらに備えた  （１２）に記載の表示装置。（１５）  表示装置を備え、  前記表示装置は、  各々が複数のサブ画素を含む複数の表示画素を有する表示パネルと、  複数の前記表示画素と対向する位置に設けられた光学シートと  を有し、  前記光学シートは、  前記表示画素から発せられる光に対して回折効果のある複数のピンホールを有するピンホールマスクと、  複数のマイクロレンズを有するマイクロレンズアレイと  を有し、  複数の前記ピンホールおよび複数の前記マイクロレンズは、各前記サブ画素から発せられた光の光路上に散乱または拡散の作用を有する部材が全く設けられていないと仮定した場合に、全種類の前記サブ画素から発せられた光が共通の１つの前記ピンホールである特定ピンホールに入射するとともに前記特定ピンホールで回折した結果、前記特定ピンホールから出射された各回折光が１つの前記マイクロレンズである特定マイクロレンズに入射する配置および大きさとなっている  電子機器。（１６）  各々が複数のサブ画素を含む複数の表示画素と、複数の前記表示画素と対向する位置に設けられた表示面とを備えた表示パネルの前記表示面に貼り付けるのに適した光学シートであって、  前記表示画素から発せられる光に対して回折効果のある複数のピンホールを有するピンホールマスクと、  複数のマイクロレンズを有するマイクロレンズアレイと  を備え、  複数の前記ピンホールおよび複数の前記マイクロレンズは、前記光学シートが前記表示面に貼り合わされた場合に、各前���サブ画素から発せられた光の光路上に散乱または拡散の作用を有する部材が全く設けられていないと仮定したときに、全種類の前記サブ画素から発せられた光が共通の１つの前記ピンホールである特定ピンホールに入射するとともに前記特定ピンホールで回折した結果、前記特定ピンホールから出射された各回折光が１つの前記マイクロレンズである特定マイクロレンズに入射する配置および大きさとなっている  光学シート。
【０１００】  本出願は、日本国特許庁において２０１５年２月１８日に出願された日本特許出願番号第２０１５−０２９９１７号を基礎として優先権を主張するものであり、この出願のすべての内容を参照によって本出願に援用する。
【０１０１】  当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2016132643.tif 000003
【図２Ａ】
2016132643.tif 000004
【図２Ｂ】
2016132643.tif 000005
【図２Ｃ】
2016132643.tif 000006
【図３】
2016132643.tif 000007
【図４Ａ】
2016132643.tif 000008
【図４Ｂ】
2016132643.tif 000009
【図５】
2016132643.tif 000010
【図６】
2016132643.tif 000011
【図７】
2016132643.tif 000012
【図８Ａ】
2016132643.tif 000013
【図８Ｂ】
2016132643.tif 000014
【図８Ｃ】
2016132643.tif 000015
【図９Ａ】
2016132643.tif 000016
【図９Ｂ】
2016132643.tif 000017
【図９Ｃ】
2016132643.tif 000018
【図１０Ａ】
2016132643.tif 000019
【図１０Ｂ】
2016132643.tif 000020
【図１０Ｃ】
2016132643.tif 000021
【図１１】
2016132643.tif 000022
【図１２】
2016132643.tif 000023
【図１３】
2016132643.tif 000024
【図１４】
2016132643.tif 000025
【図１５】
2016132643.tif 000026
【図１６】
2016132643.tif 000027
【図１７】
2016132643.tif 000028
【図１８】
2016132643.tif 000029
【図１９】
2016132643.tif 000030
【図２０】
2016132643.tif 000031
【図２１】
2016132643.tif 000032
【図２２】
2016132643.tif 000033
【図２３】
2016132643.tif 000034
【図２４】
2016132643.tif 000035
【図２５】
2016132643.tif 000036
【図２６】
2016132643.tif 000037
【図２７】
2016132643.tif 000038
【図２８】
2016132643.tif 000039
【国際調査報告】
2016132643.tif 000040
2016132643.tif 000041
2016132643.tif 000042
2016132643.tif 000043
2016132643.tif 000044
2016132643.tif 000045
2016132643.tif 000046
2016132643.tif 000047